(57)【特許請求の範囲】
【請求項１】
原子炉容器胴に形成された原子炉容器胴フランジと該フランジの周囲に形成された原子炉キャビティ壁との間隙部をシールリングによって水密にシールする装置であって、
前記原子炉キャビティ壁に設けられたサポートリングと、
このサポートリングに取り付けられた複数の固定金具と、
これらの固定金具に着脱自在に係合し、前記シールリングを前記原子炉容器胴フランジと前記サポートリングとに押え付ける複数のシールリング押え金具と、
前記固定金具に着脱自在に係合し、前記シールリングを前記原子炉容器胴フランジと前記サポートリングとから離間した位置に支持する複数のシールリング支持金具と、
このシールリング支持金具に着脱可能に取り付けられ、前記原子炉容器胴フランジと間隔を保ちながら前記間隙部を覆う環状の放射線遮蔽体とを具備してなるシール装置。
【発明の詳細な説明】
【０００１】
【発明の属する技術分野】
本発明は、原子炉容器胴に形成された原子炉容器胴フランジとその周囲に形成された原子炉キャビティ壁との間隙部をシールするシール装置に関する。
【０００２】
【従来の技術】
原子炉容器胴フランジと原子炉キャビティ壁との間隙部をシールする手段として、図５乃至図７に示すものが実公平２−４９５９４号に開示されている。すなわち、図５中１は原子炉容器蓋２と共に原子炉容器を形成する原子炉容器胴であり、この原子炉容器胴１に形成された原子炉容器胴フランジ３の周囲には、コンクリートからなる原子炉キャビティ壁４が形成されている。
【０００３】
原子炉キャビティ壁４は原子炉容器胴フランジ３との間に環状の間隙部５（図６及び図７参照）を有しており、この間隙部５の上方にはシールリング６が設けられている。また、原子炉キャビティ壁４は金属からなるサポートリング７を原子炉容器胴フランジ３の周囲に有している。このサポートリング７の上面には複数個の固定金具８が間隔を存して配設されており、これらの固定金具８はボルト９によってサポートリング７に固定されている。
【０００４】
シールリング６はステンレス鋼板等で形成されており、このシールリング６は原子炉運転時には図６に示すシールリング支持金具１０によって原子炉容器胴フランジ３とサポートリング７とから離間した位置に支持され、燃料交換時には図７に示すシールリング押え金具１１によって原子炉容器胴フランジ３とサポートリング７の上面にそれぞれガスケット１２を介在させて押え付けられるようになっている。
【０００５】
シールリング支持金具１０及びシールリング押え金具１１はそれぞれ係合部としての溝部１０ａ，１１ａを有しており、これらの溝部１０ａ，１１ａは固定金具８に設けられた係止部としての凸部８ａにそれぞれ着脱自在に係合するようになっている。
【０００６】
したがって、原子炉容器胴フランジ３と原子炉キャビティ壁４との間隙部５をシールリング６によってシールする場合には、クレーン等によりシールリング６をシールリング支持金具１０の上方に吊り上げた後、シールリング支持金具１０をサポートリング７の円周方向に動かして固定金具８からシールリング支持金具１０を取り外す。
【０００７】
次に、原子炉容器胴フランジ３とサポートリング７に形成された環状溝にそれぞれガスケット１２を嵌挿し、これらガスケット１２の上にシールリング６を吊り降ろした後、シールリング押え金具１１の溝部１１ａを固定金具８の凸部８ａに係合させて固定金具８にシールリング押え金具１１を取り付ける。そして、シールリング押え金具１１によってシールリング６を原子炉容器胴フランジ３とサポートリング７に押え付けることによって原子炉容器胴フランジ３と原子炉キャビティ壁４との間隙部５がシールリング６によって水密にシールされる。
【０００８】
【発明が解決しようとする課題】
上述したシール装置では、原子炉運転時にはシールリング６がシールリング支持金具１０によって原子炉容器胴フランジ３とサポートリング７とから離間した位置に支持されるため、原子炉運転時に冷却空気を原子炉容器胴１の周りに流通させることができるという利点を有しているが、炉心内で発生した放射線が原子炉容器胴フランジ３と原子炉キャビティ壁４との間隙部５を通過して原子炉容器胴１の上方に放出される。これを防止する対策として、例えば原子炉容器胴フランジ３と原子炉キャビティ壁４との間隙部５を原子炉運転時にもシールリング６によって塞ぐなどの方法が考えられるが、このような方法によると、原子炉運転時に冷却空気を原子炉容器胴１の周りに流通させることが困難になるという問題があった。
【０００９】
本発明は上記の問題点に鑑みてなされたもので、原子炉容器胴フランジと原子炉キャビティ壁との間隙部を原子炉運転時にシールリング等で塞ぐことなく原子炉容器胴上方への放射線量を低減することができ、燃料交換時には原子炉容器胴フランジと原子炉キャビティ壁との間隙部をシールリングによって水密にシールすることのできるシール装置を提供することを目的とする。
【００１０】
【課題を解決するための手段】
かかる目的を達成するために、請求項１の発明は、原子炉容器胴に形成された原子炉容器胴フランジと該フランジの周囲に形成された原子炉キャビティ壁との間隙部をシールリングによって水密にシールする装置であって、前記原子炉キャビティ壁に設けられたサポートリングと、このサポートリングに取り付けられた複数の固定金具と、これらの固定金具に着脱自在に係合し、前記シールリングを前記原子炉容器胴フランジと前記サポートリングとに押え付ける複数のシールリング押え金具と、前記固定金具に着脱自在に係合し、前記シールリングを前記原子炉容器胴フランジと前記サポートリングとから離間した位置に支持する複数のシールリング支持金具と、このシールリング支持金具に着脱可能に取り付けられ、前記原子炉容器胴フランジと間隔を保ちながら前記間隙部を覆う環状の放射線遮蔽体とを具備してなるものである。
【００１１】
【発明の実施の形態】
以下、本発明の一実施形態を図１乃至図４に基づいて説明する。
図１において、１は原子炉容器蓋２と共に原子炉容器を形成する原子炉容器胴であり、この原子炉容器胴１に形成された原子炉容器胴フランジ３の周囲には、コンクリートからなる原子炉キャビティ壁４が形成されている。
【００１２】
原子炉キャビティ壁４は原子炉容器胴フランジ３との間に環状の間隙部５を有しており、この間隙部５の上方にはシールリング６が設けられている。また、原子炉キャビティ壁４は金属からなるサポートリング７を原子炉容器胴フランジ３の周囲に有している。このサポートリング７の上面には複数個の固定金具８が間隔を存して配設されており、これらの固定金具８はボルト９によってサポートリング７に固定されている。
【００１３】
シールリング６はステンレス鋼板等で形成されており、このシールリング６は原子炉運転時には図１に示すシールリング支持金具１０によって原子炉容器胴フランジ３とサポートリング７とから離間した位置に支持され、燃料交換時には図３に示すシールリング押え金具１１によって原子炉容器胴フランジ３とサポートリング７の上面にそれぞれガスケット１２を介在させて押え付けられるようになっている。
【００１４】
シールリング支持金具１０及びシールリング押え金具１１はそれぞれ係合部としての溝部１０ａ，１１ａを有しており、これらの溝部１０ａ，１１ａは固定金具８に設けられた係止部としての凸部８ａにそれぞれ着脱自在に係合するようになっている。
【００１５】
シールリング６の上方には、図１及び図２に示すように、環状の放射線遮蔽体１３が間隙部５を上方から覆うように設けられている。この放射線遮蔽体１３はコンクリート、シリコン、金属、ボロンカーバイト等で形成されており、サポートリング７上に配設された複数個の遮蔽体支持金具１４によって下方から支持されている。また、放射線遮蔽体１３は、図４に示すように、サポートリング７の周方向に沿って複数に分割されている。
【００１６】
遮蔽体支持金具１４は係合部としての溝部１４ａをそれぞれ有しており、これらの溝部１４ａはシールリング支持金具１０に設けられた係止部としての凸部１０ｂにそれぞれ着脱自在に係合するようになっている。
【００１７】
このような構成において、原子炉容器胴フランジ３と原子炉キャビティ壁４との間隙部５をシールリング６によってシールする場合には、遮蔽体支持金具１４上から放射線遮蔽体１３を撤去した後、遮蔽体支持金具１４をサポートリング７の円周方向に動かしてシールリング支持金具１０から遮蔽体支持金具１４を取り外す。
【００１８】
次に、クレーン等によりシールリング６を上方に吊り上げた後、シールリング支持金具１０をサポートリング７の円周方向に動かして固定金具８からシールリング支持金具１０を取り外す。次に、原子炉容器胴フランジ３とサポートリング７に形成された環状溝にそれぞれガスケット１２を嵌挿し、これらガスケット１２の上にシールリング６を吊り降ろした後、シールリング押え金具１１の溝部１１ａを固定金具８の凸部８ａに係合させて固定金具８にシールリング押え金具１１を取り付ける。そして、シールリング押え金具１１によってシールリング６を原子炉容器胴フランジ３及びサポートリング７に押え付けることによって原子炉容器胴フランジ３と原子炉キャビティ壁４との間隙部５が水密にシールされる。
【００１９】
上述した本発明の一実施形態では、シールリング支持金具１０の凸部１０ａに遮蔽体支持金具１４の溝部１４ａを係合させた後、遮蔽体支持金具１４の上に放射線遮蔽体１３を配置すると、原子炉容器胴フランジ３と原子炉キャビティ壁４との間隙部５が放射線遮蔽体１３によって覆われる。したがって、原子炉容器胴フランジ３と原子炉キャビティ壁４との間隙部５を原子炉運転時にシールリング６等で塞ぐことなく原子炉容器胴上方への放射線量を低減することができ、また燃料交換時には原子炉容器胴フランジ３と原子炉キャビティ壁４との間隙部５をシールリング６によって水密にシールすることができる。
【００２０】
【発明の効果】
以上説明したように、本発明によれば、原子炉容器胴フランジと原子炉キャビティ壁との間隙部を原子炉運転時にシールリング等で塞ぐことなく原子炉容器胴上方への放射線量を低減することができ、燃料交換時には原子炉容器胴フランジと原子炉キャビティ壁との間隙部をシールリングによって水密にシールすることができる。
【図面の簡単な説明】
【図１】本発明の一実施形態を示す図であって、シールリングをシールリング支持金具によって原子炉容器胴フランジとサポートリングとから離間した位置に支持した状態を示す図である。
【図２】図１の線Ａ−Ａに沿う矢視平面図である。
【図３】本発明の一実施形態を示す図であって、シールリングをシールリング押え金具によって原子炉容器胴フランジとサポートリングとに押え付けた状態を示す図である。
【図４】本発明の一実施形態を示す図であって、原子炉運転時におけるシール装置の平面図である。
【図５】従来のシール装置を説明するための図であって、原子炉容器胴フランジ周辺の構造を示す図である。
【図６】従来のシール装置を説明するための図であって、シールリングをシールリング支持金具によって原子炉容器胴フランジとサポートリングとから離間した位置に支持した状態を示す図である。
【図７】従来のシール装置を説明するための図であって、シールリングをシールリング押え金具によって原子炉容器胴フランジとサポートリングとに押え付けた状態を示す図である。
【符号の説明】
１  原子炉容器胴                    ２  原子炉容器蓋
３  原子炉容器胴フランジ            ４  原子炉キャビティ壁
５  間隙部                          ６  シールリング
７  サポートリング                  ８  固定金具
１０  シールリング支持金具          １１  シールリング押え金具
１３  放射線遮蔽体                  １４  遮蔽体支持金具
【図１】
0003886638.tif 000002
【図２】
0003886638.tif 000003
【図３】
0003886638.tif 000004
【図４】
0003886638.tif 000005
【図５】
0003886638.tif 000006
【図６】
0003886638.tif 000007
【図７】
0003886638.tif 000008